(57)【要約】      （修正有）【課題】長時間着崩れしない上に、着用するのに時間や手間が生じない長襦袢を提供する。【解決手段】前見頃の左右襟部に設けられた左側結び紐および右側結び紐と、後見頃１１の上方で結合され、前記後見頃１１の背中心線Ａに沿って設けられた背部生地体１７と、前記背部生地体１７の所定高さに設ける。さらに、前記左側結び紐および前記右側結び紐のそれぞれを挿通可能な右側通し孔１９ｂおよび左側通し孔１９ａとを設ける。【選択図】図２
0003165273.tif 000002
【実用新案登録請求の範囲】
【請求項１】
前見頃の左右襟部に設けられた左側結び紐および右側結び紐と、
後見頃の上方で結合され、前記後見頃の背中心線に沿って設けられた背部生地体と、
前記背部生地体の所定高さに設けられ、前記左側結び紐および前記右側結び紐のそれぞれを挿通可能な右側通し孔および左側通し孔と、を有することを特徴とする長襦袢。
【請求項２】
前記左側通し孔および前記右側通し孔は、前記背部生地体の所定高さであって前記背部生地体に直交して結合された水平生地体の両端に形成されていることを特徴とする請求項１に記載の長襦袢。
【請求項３】
前記左側通し孔および前記右側通し孔は、前記前見頃の左右の襟部に設けられた前記左側結び紐および前記右側結び紐の高さと略同一高さに設けられていることを特徴とする請求項１に記載の長襦袢。
【請求項４】
前記右側通し孔は、前記左側結び紐を挿通可能に設けられ、
前記左側通し孔は、左側身八つ口を挿通した前記右側結び紐を挿通可能に設けられていることを特徴とする請求項１乃至３の何れか１項に記載の長襦袢。
【請求項５】
前記背部生地体の下端は、着用者の略腰の高さよりも下方まで延出していることを特徴とする請求項１乃至４の何れか１項に記載の長襦袢。
【請求項６】
襟部が化繊を用いて形成され、前記前見頃および前記後見頃が木綿を用いて形成されていることを特徴とする請求項１乃至５の何れか１項に記載の長襦袢。
【考案の詳細な説明】
【技術分野】
【０００１】
本考案は、和装用の下着として用いられる長襦袢に関するものである。
【背景技術】
【０００２】
従来から着物を着付ける場合、着物の下に長襦袢を着用している。長襦袢を着用することで、人体を保温する効果や着物への汚れを防ぐ効果を有している。また、長襦袢が着物の下から視認されることによって、着物の優雅さをさらに引き立てる意匠性の効果も有している。特に、長襦袢をきれいに着用することで美しい直線美となり、その上に着用される着物姿も美しいものとなる。
【０００３】
長襦袢を着用する場合、多くが伊達締と呼ばれる腰紐を用いた着付け方法が採用されている。具体的には、長襦袢を着用した状態で、伊達締を腰部分に巻きつけ、さらに締め付けることで固定する。しかしながら、伊達締が正しく締め付けられていなかったり、正しく固定されていなかったりする場合、伊達締に緩みやズレが生じ、着崩れが発生してしまうという問題がある。特に、着用者が着物を普段から着用する熟練者でない場合、長襦袢の着用に慣れていないために、着崩れが発生することが多くなってしまう。
【０００４】
例えば、特許文献１には、後見頃の背中心線上に紐通しを設け、紐通しに二本の専用紐が上下に離間して水平に挿通している長襦袢が開示されている。特許文献１に開示されている長襦袢を着用する場合、下側の専用紐の両端をそれぞれ左右の紐通し孔に通した後、胸前下方に配して、余裕を持って締める。そして、襟合わせを行った後、余裕を持って締めていた専用紐を締め直す。続いて、上側の専用紐の両端を胸下前に配して締める。最後に、伊達締を二本の専用紐の上に捲いて補強することで、長襦袢を着用することができるものである。このように、専用紐で堅定することで、長襦袢の身体への固定性と安定性が増すようになり、後見頃等にシワや弛みができ難いものとなる。
【先行技術文献】
【特許文献】
【０００５】
【特許文献１】特開２００３−３０６８０８号公報
【考案の概要】
【考案が解決しようとする課題】
【０００６】
しかしながら、従来の長襦袢は、専用紐や伊達締などの紐が多数必要であって、着用者は何れかの紐を用いてどのような順番で締めるかを確認しながら着付けを行わなければならず、長襦袢の着用に時間や手間がかかってしまうという問題がある。
本考案は、上述したような問題点に鑑みてなされたものであり、長時間着崩れしない上に、着付けに時間や手間が生じない長襦袢を提供することを目的とする。
【課題を解決するための手段】
【０００７】
本考案は、前見頃の左右襟部に設けられた左側結び紐および右側結び紐と、後見頃の上方で結合され、前記後見頃の背中心線に沿って設けられた背部生地体と、前記背部生地体の所定高さに設けられ、前記左側結び紐および前記右側結び紐のそれぞれを挿通可能な右側通し孔および左側通し孔と、を有することを特徴とする。
また、前記左側通し孔および前記右側通し孔は、前記背部生地体の所定高さであって前記背部生地体に直交して結合された水平生地体の両端に形成されていることを特徴とする。
また前記左側通し孔および前記右側通し孔は、前記前見頃の左右の襟部に設けられた前記左側結び紐および前記右側結び紐の高さと略同一高さに設けられていることを特徴とする。
また、前記右側通し孔は、前記左側結び紐を挿通可能に設けられ、前記左側通し孔は、左側身八つ口を挿通した前記右側結び紐を挿通可能に設けられていることを特徴とする。
また、前記背部生地体の下端は、着用者の略腰の高さよりも下方まで延出していることを特徴とする。
また、襟部が化繊を用いて形成され、前記前見頃および前記後見頃が木綿を用いて形成されていることを特徴とする。
【考案の効果】
【０００８】
本考案によれば、長時間着崩れしない上に、時間や手間が生じずに長襦袢の着付けを行うことができる。
【図面の簡単な説明】
【０００９】
【図１】本実施形態に係る長襦袢の正面図である。
【図２】本実施形態に係る長襦袢の背面図である。
【図３】本実施形態に係る長襦袢の着付けを説明するための図である。
【図４】本実施形態に係る長襦袢の着付けを説明するための図である。
【図５】本実施形態に係る長襦袢の着付けを説明するための図である。
【図６】本実施形態に係る長襦袢の着付けを説明するための図である。
【図７】本実施形態に係る長襦袢の着付けを説明するための図である。
【図８】他の実施形態に係る長襦袢の背面図である。
【考案を実施するための形態】
【００１０】
以下、本考案に係る実施形態について図面を参照して説明する。
図１は本実施形態に係る長襦袢の正面図である。図２は本実施形態に係る長襦袢の背面図である。なお、各図では、必要に応じて長襦袢の右側および左側をそれぞれ矢印で示している。
図１および図２に示す長襦袢１は、女性用であって、左右の前見頃１０ａ、１０ｂ、後見頃１１、左右の袖１２ａ、１２ｂ、左右の袖口１３ａ、１３ｂが形成されている。前見頃１０ａ、１０ｂには、着用者の首周りに沿うように、左襟部１４ａ、右襟部１４ｂおよび後襟部１４ｃからなる襟部１４が縫着により形成されている。また、左側前見頃１０ａと左側袖１２ａとの間であって、着用者の左脇下方に相当する部分には、左側身八つ口１５ａが形成されている。同様に、右側前見頃１０ｂと右側袖１２ｂとの間であって、着用者の右脇下方に相当する部分には、右側身八つ口１５ｂが形成されている。
【００１１】
また、図１に示すように左襟部１４ａおよび右襟部１４ｂには、着用者の略腰の高さに相当する位置に、それぞれ左側結び紐１６ａおよび右側結び紐１６ｂが縫着により結合されている。左側結び紐１６ａおよび右側結び紐１６ｂは、それぞれ同一長さであって着用者の腰周りの寸法よりも長い。
【００１２】
次に、図２に示すように後見頃１１の上方には、後見頃１１の背中心線Ａ（図２に示す一点鎖線を参照）に沿うように、背部生地体１７が結合されている。具体的には、背部生地体１７は、両肩幅（図２に示すＷ）の略１／４の幅寸法であって、着丈（図２に示すＴ）の略１／２の長さ寸法に形成された長尺状の布材である。背部生地体１７の上端が後見頃１１と後襟部１４ｃとの間で縫着されることで結合されている。したがって、背部生地体１７は後見頃１１の上方、詳しくは後襟部１４ｃから鉛直下方向に沿って垂下する。なお、背部生地体１７の下端は、着用者の腰よりも下方に位置している。
【００１３】
また、背部生地体１７には、着用者の略腰の高さに相当する位置、すなわち上述した左側結び紐１６ａおよび右側結び紐１６ｂが結合されている高さの同一高さに、水平生地体１８が結合されている。水平生地体１８は背部生地体１７の長手方向に対して直交する方向に延出し、水平生地体１８の中央が背部生地体１７に縫着されることで結合されている。具体的には、水平生地体１８は、水平方向に両肩幅（図２に示すＷ）の略１／２の長さ寸法に形成された布材である。水平生地体１８の両端には、それぞれ鉛直方向に沿って開口する左側通し孔１９ａおよび右側通し孔１９ｂが形成されている。なお、本実施形態の水平生地体１８は、長尺状の布材の両端を無端環状になるように結合した後、平坦になるように重ね合わせて形成されている。そして、水平生地体１８の中央のみを背部生地体１７に結合することで、水平生地体１８の両端に布材の重なり合わせの間が通し孔として形成される。
【００１４】
ここで、本実施形態では、長襦袢１の構成要素のうち、襟部１４および左右の袖１２ａ、１２ｂには化繊などの生地が用いられ、左右の前見頃１０ａ、１０ｂ、後見頃１１、左右の結び紐１６ａ、１６ｂ、背部生地体１７および水平生地体１８には木綿などの生地が用いられている。したがって、長襦袢１には絹などの生地が用いられていないことから、汚れた場合、容易に洗うことが可能である。なお、襟部１４および左右の袖１２ａ、１２ｂは、長襦袢１の上から着物を着用したときに、着物の下から視認される部材であることから、構成部材と異なり意匠性に優れた生地が用いられている。
【００１５】
次に、上述した長襦袢１の着付けについて図３〜図７を参照して説明する。
まず、図３に示すように、着用者は左側前見頃１０ａが右側前見頃１０ｂの上に重なるように長襦袢１を羽織る。図３に示す状態では、左側結び紐１６ａは右側前見頃１０ｂの表側に位置するために正面から確認することができる。一方、右側結び紐１６ｂは左側前見頃１０ａの裏側に位置するために正面から確認することができない。
【００１６】
次に、着用者は左側結び紐１６ａを右腰に巻き付けるようにして後見頃１１側（背中側）に移動させる。同様に、着用者は右側結び紐１６ｂを左腰に巻き付けるようにして後見頃１１側（背中側）に移動させる。このとき、右側結び紐１６ｂは左側前見頃１０ａの裏側に位置しているために、図４に示すように、右側結び紐１６ｂを左側身八つ口１５ａから表側に挿通させる。
【００１７】
続いて、着用者は、図４に示すように、後見頃１１側に移動させた左側結び紐１６ａを水平生地体１８の右側通し孔１９ｂに上側から下側に向かって挿通させる。同様に、着用者は、図４に示すように、後見頃１１側に移動させた右側結び紐１６ｂを水平生地体１８の左側通し孔１９ａに上側から下側に向かって挿通させる。このとき、右側通し孔１９ｂおよび左側通し孔１９ａは、着用者の真後ろに位置しているのではなく、それぞれ右腰のやや背中側および左腰のやや背中側に位置しているために、着用者は、右側通し孔１９ｂおよび左側通し孔１９ａの開口を確認しながら、左側結び紐１６ａおよび右側結び紐１６ｂを挿通させることができる。
【００１８】
その後、着用者は、図５に示すように、右側通し孔１９ｂに挿通させた左側結び紐１６ａを右手に持って右側に引っ張り、左側通し孔１９ａに挿通させた右側結び紐１６ｂを左手に持って左側に引っ張る。このとき、着用者は、左側結び紐１６ａと右側結び紐１６ｂとが真一文字、すなわち水平になるような態様で相反する方向に引っ張ることで、左側結び紐１６ａ、右側結び紐１６ｂおよび水平生地体１８とが協働して、着用者の腰周りに密着し、締め付けることができる。なお、左側結び紐１６ａ、右側結び紐１６ｂ、左側通し孔１９ａおよび右側通し孔１９ｂは、それぞれ同一高さに形成されているので、左側結び紐１６ａおよび右側結び紐１６ｂを水平に相反する方向に引っ張ることで、左側結び紐１６ａ、右側結び紐１６ｂおよび水平生地体１８の高さ方向へのズレを防止することができる。
【００１９】
次に、水平に相反する方向に引っ張った左側結び紐１６ａおよび右側結び紐１６ｂをそれぞれ、腰に巻き付けるように身体の前側に移動させる。その後、図６に示すように、着用者は前側に移動させた左側結び紐１６ａおよび右側結び紐１６ｂを腰周りの前方で結ぶことにより、着用者の腰周りが左側結び紐１６ａ、右側結び紐１６ｂおよび水平生地体１８によって締め付けられる。
【００２０】
続いて、着用者は、左襟部１４ａ、右襟部１４ｂの襟合わせがズレないようにしながら、前見頃１０ａ、１０ｂおよび後見頃１１を下方に引っ張り、長襦袢１に生じたシワをとっていく。最後に、着用者は、図７に示す状態から、左右何れかの手を背中に回して、背部生地体１７の下端を下方に引っ張ることで、シワを取るときに生じた左側結び紐１６ａおよび右側結び紐１６ｂおよび水平生地体１８の位置ズレを補正して、左側結び紐１６ａおよび右側結び紐１６ｂおよび水平生地体１８の高さを合わせることができる。また、このように背部生地体１７の下端を下方に引っ張ることで、背部生地体１７および水平生地体１８のシワを取ることができるため、背部生地体１７および水平生地体１８に接している後見頃１１のシワも取ることができ、長襦袢１に生じる着崩れを防止することができる。
【００２１】
本実施形態に係る長襦袢によれば、左側結び紐１６ａおよび右側結び紐１６ｂをそれぞれ、背部生地体１７に結合されている水平生地体１８の右側通し孔１９ｂおよび左側通し孔１９ａに挿通させた後、前側で結ぶことで着付けが完了する。したがって、結び紐の数や着付けの工程が少ないことから、着用者が熟練者でない場合であっても、手間や時間をかけずに、長襦袢の着付けを行うことができる。特に、左側結び紐１６ａおよび右側結び紐１６ｂを着用者の死角となる真後ろまで回すことがないため、着用者は自身で視認しながら着付けを行うことができる。
【００２２】
また、伊達締を着用者の死角である真後ろで二重にして重ね合わせる従来の長襦袢の場合、重なり合わせが不十分であると、伊達締と後見頃との間に隙間が発生し、その隙間によって着崩れが生じるおそれがあった。しかしながら、本実施形態に係る長襦袢によれば、左側結び紐１６ａおよび右側結び紐１６ｂの何れも着用者の真後ろで重なり合うことがなく、着用者の真後ろに位置するのは水平生地体１８のみであるため、水平生地体１８と後見頃１１との間の隙間の発生を低減させ、着崩れを防止することができる。
【００２３】
さらに、左側結び紐１６ａおよび右側結び紐１６ｂに加え、水平生地体１８によっても左右の前見頃１０ａ、１０ｂおよび後見頃１１を腰周りで締め付けている。このように、水平生地体１８を用いることで、着用者の動作で変動し易い左側結び紐１６ａおよび右側結び紐１６ｂを短縮させ、左右の前見頃１０ａ、１０ｂおよび後見頃１１との接触距離を減少させることができる。このように、変動し易い結び紐１６ａ、１６ｂの長さを短縮させることで、前見頃１０ａ、１０ｂおよび後見頃１１の位置が変動し難くなり、襟合わせもズレないため、美しい着物姿を長時間、維持することができる。
【００２４】
なお、例えば手洗いを済ました後、後見頃１１にシワが生じたり、左側結び紐１６ａおよび右側結び紐１６ｂの高さがズレたりして、着崩れすることがある。この場合、着用者は着物と長襦袢１との間から手を入れて、背部生地体１７の下端を下方に引っ張ることで、背部生地体１７および水平生地体１８が伸びることで、後見頃１１のシワを解消させることができる。また、左側結び紐１６ａおよび右側結び紐１６ｂの高さも、最初に着付けを行った高さに戻すことができる。このように、本実施形態の長襦袢では、背部生地体１７を下方に引っ張るだけで、着崩れの乱れを直すことができる。また、このとき、背部生地体１７の下端は、着用者の腰よりも下方に位置しているために、着用者は自身で容易に背部生地体１７を下方に引っ張ることができる。
【００２５】
なお、本考案は上述した実施形態にのみ限定されるものではなく、本考案の範囲内で変更等が可能である。例えば、上述した実施形態では、長襦袢１を着用するとき、右側結び紐１６ｂを左側身八つ口１５ａから表側に挿通させる場合について説明したが、この場合に限られない。左側前見頃１０ａまたは後見頃１１の左側に、左側身八つ口１５ａとは異なる挿通孔を開口させ、この挿通孔を介して、右側結び紐１６ｂを表側に挿通させてもよい。
【００２６】
また、上述した実施形態では、背部生地体１７に水平生地体１８を結合し、その水平生地体１８の両端に左側通し孔１９ａおよび右側通し孔１９ｂを形成する場合について説明したが、この場合に限られない。
図８は、他の実施形態に係る長襦袢の背面図である。上述した実施形態の同一の構成は同一符号を付してその説明は省略する。図８に示すように、本実施形態の長襦袢には、背部生地体１７の着用者の略腰の高さに相当する位置であって、背部生地体１７の幅方向における両端に左側通し孔２０ａおよび右側通し孔２０ｂが形成されている。本実施形態によれば、背部生地体１７により後見頃１１のシワを取ることができると共に、水平生地体１８を省略した分、長襦袢の製造コストを削減することができるという効果を有する。
【符号の説明】
【００２７】
１：長襦袢  １０ａ：左側前見頃  １０ｂ：右側前見頃  １１：後見頃  １２ａ：左側袖  １２ｂ：右側袖  １３ａ：左側袖口  １３ｂ：右側袖口  １４：襟部  １４ａ：左襟部  １４ｂ：右襟部  １４ｃ：後襟部  １５ａ：左側身八つ口  １５ｂ：右側身八つ口  １６ａ：左側結び紐  １６：右側結び紐  １７：背部生地体  １８：水平生地体  １９ａ：左側通し孔  １９ｂ：右側通し孔  ２０ａ：左側通し孔  ２０ｂ：右側通し孔
【図１】
0003165273.tif 000003
【図２】
0003165273.tif 000004
【図３】
0003165273.tif 000005
【図４】
0003165273.tif 000006
【図５】
0003165273.tif 000007
【図６】
0003165273.tif 000008
【図７】
0003165273.tif 000009
【図８】
0003165273.tif 000010